(57)【要約】【課題】簡単に、素子基板を光学ケースに着脱できるようにする。【解決手段】光学ケース２１内に、受光素子１２を搭載した素子基板３１が配設され、前記素子基板３１には前記光学ケース２１の周壁２１ａの導入部を通る信号線３５が接続され、前記光学ケース２１の開口部が光学カバー３０により閉鎖されている火災感知器において、前記信号線３５は、前記周壁２１ａの導入部の上端面２１ｆに開口するスリット３７に挿入されている。【選択図】  図３
2010231613.tif 000002
【特許請求の範囲】
【請求項１】
光学ケース内に、受光素子を搭載した素子基板が配設され、前記素子基板には前記光学ケースの周壁の導入部を通る信号線が接続され、前記光学ケースの開口部が光学カバーにより閉鎖されている火災感知器において、
前記信号線は、前記周壁の導入部の上端面に連続するスリットに挿入されていることを特徴とする火災感知器。
【請求項２】
光学ケースと、前記光学ケース内に配設した受光素子と、前記受光素子の出力信号を増幅する受光増幅部と、増幅された前記出力信号をＡ／Ｄ変換した検出レベルが閾値以上で火災判別する火災判断部と、を備えた火災感知器において、
前記受光素子が実装された素子基板に信号線が接続され、該信号線は、前記光学ケースの周壁に設けたスリットを通ることを特徴とする火災感知器。
【請求項３】
内部が暗箱である光学ケースと、前記光学ケース内に気体を流入させて検煙部を構成する空気通路と、前記光学ケース内に配設した発光素子と、該発光素子から発光した光が前記検煙部に存在する煙粒子によって生じる散乱光を受光する受光素子と、前記受光素子の出力信号を増幅する受光増幅回路と、増幅された前記出力信号をＡ／Ｄ変換した検出レベルが閾値以上で火災判別する火災判断部と、を備えた火災感知器において、
前記発光素子又は受光素子が実装された素子基板に信号線が接続され、該信号線は、前記光学ケースの周壁に設けたスリットを通ることを特徴とする火災感知器。
【請求項４】
前記光学ケース内には、前記信号線が収納される、前記素子基板を取り付けする位置と前記スリットとの間に遮光壁が設けられていることを特徴とする請求項１、２、又は、３記載の火災感知器。
【請求項５】
前記スリットは、前記周壁に対して斜めに交差していることを特徴とする請求項１、２、３、又は、４記載の火災感知器。
【発明の詳細な説明】
【技術分野】
【０００１】
この発明は、炎感知器や煙感知器などの火災感知器に関するものである。
【背景技術】
【０００２】
家屋やビル等の火災監視区域には、煙感知器が配設されている。従来の煙感知器は、筐体（「光学ケース」ともいう）内に、発光素子を有する第１の素子基板と、受光素子を有する第２の素子基板と、が配設され、収容箱内に電源回路や電流制御回路やMPU等を有するメイン基板が配設されている。前記第１及び第２の素子基板と前記メイン基板との間での信号送受、電源供給等の電気的接続は、信号線を介して行なわれている。前記第１及び第２の素子基板に接続された前記信号線は、筐体の周壁に設けられた円形状の穴を通って、前記周壁の外面に沿って配設されている（例えば、特許文献１、参照）。
【先行技術文献】
【特許文献】
【０００３】
【特許文献１】特開２００８−０８２７０８号公報
【発明の概要】
【発明が解決しようとする課題】
【０００４】
前記煙感知器の点検修理等の際には、前記素子基板を筐体に出し入れしなければならないが、前記信号線は、円形状の穴に導入されているので、前記素子基板を筐体から取り出す場合には、該信号線を前記素子基板から分離しなければならず、又、前記素子基板を筐体内に戻した場合には、該素子基板と前記信号線とを接続しなければならない。この様に従来例では、素子基板を筐体から着脱する際に手間がかかるので、作業能率が低下する。
【０００５】
この発明は、上記事情に鑑み、簡単に、素子基板を光学ケースに着脱できる様にすることを目的とする。
【課題を解決するための手段】
【０００６】
この発明は、光学ケース内に、受光素子を搭載した素子基板が配設され、前記素子基板に前記光学ケースの周壁の導入部を通る信号線が接続され、前記光学ケースの開口部が光学カバーにより閉鎖されている火災感知器において、
前記信号線は、前記周壁の導入部の上端面に連続するスリットに挿入されていることを特徴とする。
【０００７】
この発明は、光学ケースと、前記光学ケース内に配設した受光素子と、前記受光素子の出力信号を増幅する受光増幅部と、増幅された前記出力信号をＡ／Ｄ変換した検出レベルが閾値以上で火災判別する火災判断部と、を備えた火災感知器において、前記受光素子が実装された素子基板に信号線が接続され、該信号線は、前記光学ケースの周壁に設けたスリットを通ることを特徴とする。
【０００８】
この発明は、内部が暗箱である光学ケースと、前記光学ケース内に気体を流入させて検煙部を構成する空気通路と、前記光学ケース内に配設した発光素子と、該発光素子から発光した光が前記検煙部に存在する煙粒子によって生じる散乱光を受光する受光素子と、前記受光素子の出力信号を増幅する受光増幅回路と、増幅された前記出力信号をＡ／Ｄ変換した検出レベルが閾値以上で火災判別する火災判断部と、を備えた火災感知器において、前記発光素子又は受光素子が実装された素子基板に信号線が接続され、該信号線は、前記光学ケースの周壁に設けたスリットを通ることを特徴とする。
【０００９】
この発明の光学ケース内には、前記信号線が収納される、前記素子基板を取り付けする位置と前記スリットとの間に遮光壁が設けられていることを特徴とする。この発明の前記スリットは、前記周壁に対して斜めに交差していることを特徴とする。
【発明の効果】
【００１０】
この発明は、以上のように構成したので、素子基板に接続された信号線は、光学ケースの周壁に設けたスリットにより挟持されて外部に出るので、前記素子基板に信号線を着脱する手間を省くことができる。
又、前記位置に遮光壁を設けたので、外光が前記スリットから光学ケース内に進入しても、受光素子が悪影響を受けることがない。
【図面の簡単な説明】
【００１１】
【図１】本発明の実施形態1を示す平面図で、煙感知器の概略を示す図である。
【図２】煙検出ユニットを示す斜視図である。
【図３】光学ケースの平面図である。
【図４】光学カバーの底面図である。
【図５】煙検出ユニットの平面図である。
【図６】図５のVI−VI線断面図である。
【発明を実施するための形態】
【００１２】
本発明の第１実施形態の煙感知器を図１〜図６により説明する。
１は煙感知器、２１は内部が暗箱である煙検出ユニット２の光学ケース、３は該光学ケース２１の検煙部２５に配管４を介して検知対象となる空気を送るファン、５は前記配管４に設けられているフイルタ、をそれぞれ示している。
【００１３】
１１は、前記光学ケース２１内に配設された発光素子であり、例えば、赤外線を発光する発光素子が用いられる。１２は、フォトダイオード等の受光素子であり、受光素子１２は、前記発光素子１１の光が前記検煙部２５に存在する煙粒子によって生じる散乱光を受光するものであり、前記発光素子１１の光が直接入射しない位置に配設されている。１４は前記ファン３や空気の流量を測定するエアフローセンサ１３などに電源を供給する電源部、１５は火災判別部、をそれぞれ示している。
【００１４】
前記火災判別部１５は、詳細に示さないが、前記受光素子１２の出力信号Ｓを増幅する増幅回路、増幅信号を検出レベルに変換するＡ／Ｄ変換器、検出レベルが予め設定された閾値以上になったとき火災と判別する比較回路、等を備えているが、統合的な制御は、ＣＰＵにより行われるようになっている。
【００１５】
煙検出ユニット２は、例えば、艶消し黒色の内面をなし、箱状の光学ケース２１を備え、該光学ケース２１の開口部は光学カバー３０により閉鎖されている。そのため、前記光学ケース２１の内部は、いわゆる暗箱となっている。前記光学ケース２１内には、前記発光素子１１に対向する位置に迷光部２２が設けられている。
【００１６】
２４は集光レンズであり、集光レンズ２４は、前記発光素子１１が発光した光を迷光部２２内に設けた光トラップ２３の曲面部に集光させる。２５は空気を通過させる検煙部、２６は適宜間隔に設けられるアパーチャ、をそれぞれ示している。
【００１７】
前記受光素子１２は、回路部品３２とともに素子基板３１に実装されている。この素子基板３１の左右の端部は、溝部３３に嵌着支持されている。この溝部３３は、光学ケース２１の周壁２１ａの内側に形成されて、且つ、上下方向に伸びている凹部であるので、前記素子基板３１を上下方向に往復移動させることにより、容易に光学ケース２１に着脱することが出来る。
【００１８】
前記素子基板３１には、信号線３５が接続されているが、この信号線３５は、例えば、帯状のフラットケーブルであり、前記素子基板３１等と制御基板（図示省略）との間での信号送受、電源供給等を行うものである。この信号線３５は、スリット３７を通って光学ケース２１の外部に出てから光学ケース２１の周壁２１ａの外面に這うように伸びている。
【００１９】
前記スリット３７は、前記周壁２１ａに対して斜めに交差するように形成されているが、この様にすると、前記信号線３５が曲げられて周壁２１ａの外面に這わせやすくなるとともに、光学ケース２１内に外光が入りにくくなる。更に、前記信号線35が前記スリット３７により軽く挟持されるので、光学ケース２１の外部から信号線３５が引張られても、光学ケース２１の内部には伝わらない。又、前記スリット３７の開口部３７ａは、周壁２１ａの上端面２１ｆに連続〔開口〕しているが、この様にすると、信号線３５を上下方向に往復運動させるだけで、該信号線３５を該スリット３７に着脱することができる。従って、信号線３５を素子基板３１に接続した状態で、前記素子基板３７を前記光学ケース２１から取り外したり、装着したりすることが出来る。
【００２０】
前記光学ケース２１の素子基板３１とスリット３７との間に信号線の収納部３９が設けられ、この収納部３９には、遮光壁４０が配設されている。この遮光壁４０は、光学ケース２１に固定された遮光壁４０ａと、光学カバー３０に固定された遮光壁４０ｂにより構成され、全体として信号線３５の経路から外光が素子基板３１まで到達しないように囲んで、該信号線３５の経路に沿って設けられている。また、遮光壁４０ａと遮光壁４０ｂは互いに隣接するように配置して遮光性を高めている。
【００２１】
前記光学ケース２１の開口部には、光学カバー３０が被せられ、該光学カバー３０はねじ４２で前記光学ケース２１に固定されている。前記光学カバー３０の長辺縁部には、間隔を置いて複数の信号線保持部４１が設けられている。この信号線保持部４１は、前記帯状の信号線３５を前記光学ケース２１の周壁２１ａに接触させて保持させる押圧支持部材である。
【００２２】
次に、本実施形態の作動について説明する。
煙検出ユニット２内の素子基板３１を前記光学ケース２１から取り出す場合には、ねじ４２を緩めて前記光学カバー３０を光学ケース２１から外す。そうすると、該光学ケース２１の内部が露出し、前記光学ケース２１の溝部３３の上端及びスリット３７の上端（開口部３７ａ）は開放状態となる。
【００２３】
光学ケース２１内の素子基板３１と信号線３５を指で摘んで上方に引っ張ると、前記素子基板３１は前記溝部３３から抜け、又、信号線３５は前記スリット３７から抜ける。そのため、前記信号線３５に接続されている状態で、前記素子基板３１を容易に光学ケース２１から外すことができる。
【００２４】
前記素子基板３１を光学ケース２１に装着する場合には、前記と逆の要領で装着作業を行う。即ち、前記素子基板３１と信号線３５は、接続されているが、前記素子基板３１を下方に移動させて溝部３３に押し込むとともに、前記信号線３５を下方に移動させてスリット３７の開口部３７ａに押し込む。そうすると、前記両者３１、３５は設計位置に配設され、前記信号線３５は、スリット３７により軽く挟持される。この時、光学ケース２１内の信号線３５は、形成された経路に収納される。
【００２５】
前記信号線３５を周壁２１ａの外面に這わせながら所定位置まで配設する。その後、前記光学ケース２１の開口部に光学カバー３０を被せ、信号線保持部４１で前記信号線３５を周壁２１ａに接触させた後、ねじ４２で止めて固定する。この時、信号線３５がスリット３７の開口部３７ａで上下方向に動くことを規制するために、スリット３７の深さや光学カバー３０のストッパー高さを設定しても良い。
【００２６】
この発明の第２実施形態について説明する（図示省略）。
本件発明の火災感知器は、煙感知器の他に、発光素子を備えていない火災感知器（例えば、炎感知器）にも適用することが出来る。
【００２７】
即ち、前記火災感知器は、箱状の光学ケースと、前記光学ケース内に配設した受光素子と、前記受光素子の出力信号を増幅する受光増幅部と、増幅された前記出力信号をＡ／Ｄ変換した検出レベルが閾値以上で火災判別する火災判断部と、を備えており、前記受光素子が実装された素子基板には、信号線が接続され、該信号線は、前記光学ケースの周壁に設けたスリットを通るように配設されている。
【００２８】
なお、前記光学ケース及び前記スリットは、第１実施形態の光学ケース及びスリットと同様である。
【符号の説明】
【００２９】
１      煙感知器
２      煙検出ユニット
１１    発光素子
１２    受光素子
２１    光学ケース
２１ａ  周壁
２１ｆ  上端面
３０    光学カバー
３１    素子基板
３３    溝部
３５    信号線
３７    スリット
３７ａ  開口部
【図１】
2010231613.tif 000003
【図２】
2010231613.tif 000004
【図３】
2010231613.tif 000005
【図４】
2010231613.tif 000006
【図５】
2010231613.tif 000007
【図６】
2010231613.tif 000008